(57)【特許請求の範囲】
【請求項１】
ハウジング内部の空洞に一対のサイドプレートを嵌め合わせてギア室を区画し、このギア室の内部に互いに噛み合う駆動ギアおよび従動ギアを収容して、各ギアの支軸を各サイドプレートに形成した支持孔によって嵌合支持すると共に、上記ギア室の内部に両ギアの噛み合い点を挟んで作動流体の吸込室および吐出室を形成したギアポンプにおいて、
上記サイドプレートに、両サイドプレートおよび噛合する各ギア歯で形成される閉塞領域と上記支持孔とを連通する流路を形成し、
この流路の閉塞領域側の開口と、両ギアの噛み合いの作用線とは、上記支軸の軸方向からみたときに互いに重なり合うことを回避していることを特徴とするギアポンプ。
【請求項２】
請求項１に記載のギアポンプにおいて、上記開口は、上記作用線よりも駆動ギア寄りに配置されたことを特徴とするギアポンプ。
【発明の詳細な説明】
【０００１】
【発明の属する技術分野】
本発明は、互いに噛み合う一対のギアの回転によりポンプ作用をなすギアポンプに関する。
【０００２】
【従来の技術および発明が解決しようとする課題】
従来より、ギアポンプは、簡単な構造を有する小型軽量のポンプとして種々の産業分野に用いられている。
この種のギアポンプの構造としては、ハウジング内部の空洞に一対のサイドプレートを嵌め合わせてギア室を区画し、このギア室の内部に互いに噛み合う一対のギアを収容して、各ギアの支軸を各サイドプレートに形成した支持孔によって嵌合支持すると共に、ギア室の内部に両ギアの噛み合い位置を挟んで作動流体の吸込室および吐出室を形成したタイプのものが一般的である。
【０００３】
ところで、ギアポンプでは、支持孔内の潤滑が不充分になると、支持孔内での摩耗が助長される結果、やがてポンプ効率が低下するという問題がある。
また、ギアポンプのギアの噛み合い部分では、各サイドプレートおよび噛合する各ギア歯で形成される閉塞領域に油が閉じ込められる、いわゆる閉じ込み現象を生じて、閉じ込められた油がギアの回転に伴って圧縮されるときに、非常な高圧が生じる結果、振動や騒音が発生するという問題がある。
【０００４】
これらの問題に対して、本願出願人は、閉塞領域と支持孔とを連通する流路を備えたギアポンプを提案している（例えば、特願平８−２７４９４８号等）。このギアポンプでは、図９に示すように、高圧側の吐出室９０と低圧側の吸込室９１とは、駆動ギア９６と従動ギア９７との噛み合い点９２で区画されており、この噛み合い点９２の両側の近傍に一対の閉塞領域９３，９４（図９にハッチングを施した。）が区画されている。この一対の閉塞領域９３，９４と連通するように、流路の閉塞領域側開口９５はピッチ点に一致して設けられていた。このギアポンプでは、閉じ込みに起因した振動や騒音を防止できるとともに、支持孔への潤滑を確保して耐久性にすぐれたギアポンプを実現できる。一方で、このギアポンプは、高圧になるほど、ポンプ効率が低下する傾向を有していた。
【０００５】
そこで、本発明の目的は、上述の技術的課題を解決し、ギアポンプの閉じ込み現象に起因した振動や騒音を防止できるとともに、ギアの支軸を支持する部分の摩耗を防止できて耐久性に優れ、高圧時にポンプ効率の低下を防止できるギアポンプを提供することである。
【０００６】
【課題を解決するための手段】
上記目的を達成するため、請求項１にかかる発明のギアポンプは、ハウジング内部の空洞に一対のサイドプレートを嵌め合わせてギア室を区画し、このギア室の内部に互いに噛み合う駆動ギアおよび従動ギアを収容して、各ギアの支軸を各サイドプレートに形成した支持孔によって嵌合支持すると共に、上記ギア室の内部に両ギアの噛み合い点を挟んで作動流体の吸込室および吐出室を形成したギアポンプにおいて、上記サイドプレートに、両サイドプレートおよび噛合する各ギア歯で形成される閉塞領域と上記支持孔とを連通する流路を形成し、この流路の閉塞領域側の開口と、両ギアの噛み合いの作用線とは、上記支軸の軸方向からみたときに互いに重なり合うことを回避していることを特徴とする。
【０００７】
ここで、噛み合いの作用線とは、両ギア同士の噛み合い点が、ギアの回転に伴って移動する軌跡である。両ギアの噛み合い点を挟んだ両側には、一対の閉塞領域が区画されるが、これら一対の閉塞領域は、噛み合い点が噛み合いの作用線に沿って移動するのに伴って吸込室と吐出室とにそれぞれ連通する場合がある。このような状態で、仮に一対の閉塞領域が、上記開口を通して、互いに連通してしまうと、吸込室と吐出室とが互いに連通してしまう。
【０００８】
これに対して本発明では、噛み合いの作用線と流路の閉塞領域側の開口とが互いに重なり合うことを回避しているので、噛み合い点の両側にある一対の閉塞領域が開口を介して互いに連通することがない。従って、一対の閉塞領域および開口を通しての吸込室と吐出室との両室の連通を防止でき、その結果、両室が連通することに起因した流量損失の発生を防止できる。
【０００９】
ところで、上述の開口が、吐出室と連通している状態の閉塞領域に開口する場合を想定すると、高圧の吐出室から流路に作動流体が流れ込むので、流量損失が生じる虞がある。そこで、開口を請求項１のように配置するには、請求項２のように配置することが好ましい。すなわち、請求項２にかかる発明のギアポンプは、請求項１に記載のギアポンプにおいて、上記開口は、上記作用線よりも駆動ギア寄りに配置されたことを特徴とするものである。
【００１０】
この構成によれば、請求項１にかかる発明の作用に加えて、以下の作用を奏する。すなわち、上記一対の閉塞領域は、駆動ギアの歯底によって区画される駆動ギア側の閉塞領域と、従動ギアの歯底によって区画される従動ギア側の閉塞領域とを含み、これら駆動ギア側および従動ギア側の閉塞領域は作用線を挟んだ両側に配置されることになる。
【００１１】
一方、その描く軌跡が作用線となる噛み合い点は、駆動ギアのギア歯の進行方向側（すなわち吸込室側）の歯面に位置している。このため、従動ギア側の閉塞領域は噛み合い点によって吸込室との連通を確実に阻止される一方、駆動ギア側の閉塞領域は噛み合い点によって吐出室との連通を確実に阻止される。
本発明では、流路の開口を作用線よりも駆動ギア寄りに配置したので、当該開口は、駆動ギア側の閉塞領域のみに連通する。この駆動ギア側の閉塞領域は上述したように吐出室との連通が噛み合い点によって確実に阻止されている。従って、吐出室から流路への圧力抜けが生じることを確実に防止できる。また、駆動ギア側の閉塞領域に閉じ込められた作動流体を流路を介して支持孔の潤滑に利用できる。
【００１２】
【発明の実施の形態】
以下、本発明の一実施形態を、添付図面を参照しつつ説明する。
図１は、本発明の一実施の形態にかかるギアポンプの概略構成を示す正面図である。図２は、図１のギアポンプの断面側面図であり、ハッチングを省略してある。
【００１３】
本ギアポンプは、その中央部を貫通する長円形断面の空洞を有する本体筒１０の両側を、これの全面を覆う態様にねじ止めされた一対の蓋板１１により塞いで構成されたハウジング１を備えている。このハウジング１の内部には、前記空洞部の両側から嵌挿された、例えば、アルミニウム合金製の一対のサイドプレート１２同士の間にギア室１４が区画されている。このギア室１４は、環状溝６６（図４参照）に収容された状態で蓋板１１とサイドプレート１２との間に介在するＯリング１３によって密封されている。ギア室１４内には、互いに対をなす駆動ギア３と従動ギア４とが配置されている。
【００１４】
ギア室１４の内部には、各サイドプレート１２にそれぞれ一対が形成された支持孔３１，４１により、それぞれ両持ち支持された一対の支軸３０，４０が、略長円形断面を有するギア室１４の両側の半円部の軸心上にそれぞれ位置し、互いに平行をなして架設されている。
一対の支持孔３１により支持された一方の支軸３０は、一方の蓋板１１を貫通して外部に延長され、この延長端に伝達される図示しないモータ等の動力源からの駆動力により回転駆動される駆動軸を構成している。また、支軸３０には、ギア室１４の内部において駆動ギア３が一体回転可能に装着されている。支軸３０が蓋板１１を貫通する部分にはオイルシール１７が配置されている。
【００１５】
また、一対の支持孔４１によって支持された他方の支軸４０は、各サイドプレート１２の支持孔４１内に軸端を有する従動軸を構成している。支軸４０には、ギア室１４の内部において従動ギア４が装着されている。従動ギア４は、両支軸３０，４０の軸心を含む平面近傍範囲内において駆動ギア３と噛み合い、支軸３０により駆動される駆動ギア３の回転に伴って、支軸４０と共に従動回転するようにしてある。
【００１６】
図２には、駆動ギア３およびこれに連動する従動ギア４の回転方向が矢符により示してあり、両ギア３，４の噛み合い位置を挟んだ両側には、前記回転方向側に吸込室５が、反回転方向側に吐出室６が形成されている。これら吸込室５および吐出室６は、本体筒１０の対応位置に開口する吸込口１５および吐出口１６を介して、ハウジング１外の図示しない吸込先および吐出先にそれぞれ接続されるようにしてある。
【００１７】
このような構成により、吸込口１５を経て吸込室５に導入される作動流体は、該吸込室５に臨む駆動ギア３および従動ギア４の歯間に受け入れられ、両ギア３，４の回転により、それぞれの歯間の本体筒１０の内周面との間に封止された状態で搬送され、吐出室６に送り出される。吐出室６への送り出しを終えた駆動ギア３と従動ギア４とは、両ギア３，４の噛み合い位置を経て吸込室５側に向き、該吸込室５内の作動流体を再度受け入れて吐出室６側へ送り出す作用をなす。
【００１８】
以上の如く行われるギアポンプの動作中、駆動ギア３および従動ギア４には、図２中に黒塗り矢符で示す向きの押圧力が作用する。これにより、駆動ギア３および従動ギア４の支軸３０，４０は、吸込室５側において、支持孔３１，４１の内周面にそれぞれ押し付けられるので、支持孔３１，４１の内面の摩耗が生じ易い傾向にあり、特に支持孔３１，４１と支軸３０，４０との間に潤滑の油膜の形成が良好に行われない低回転下でその傾向が大きい。
【００１９】
他方、駆動ギア３と従動ギア４との噛み合い点近傍で、一方の歯の歯底と、他方の歯の歯先との間に形成される閉塞領域に、作動流体が閉じ込められる、いわゆる閉じ込みが生じて、その結果、非常な高圧を発生し振動や騒音を発生するおそれがある。
本実施形態では、支持孔３１，４１へ閉塞領域の高圧作動流体を導くための流路８０を設けることにより、支持孔３１，４１での潤滑性の向上および閉じ込み防止を図っている。
【００２０】
図３は、サイドプレートの側面図である。図４は、図３のサイドプレートの断面後面図である。
サイドプレート１２のギア側側面１２ａには、両ギア３，４の噛み合い位置から吸込室５側へ延びる逃げ溝６３および吐出室６側へ延びる逃げ溝６４が形成されている。これらの逃げ溝６３，６４は、後述するように閉じ込みの発生を防止するためのものである。また、流路８０を形成するために、サイドプレート１２のギア側側面１２ａには、両逃げ溝６３，６４同士間の略中間位置に凹部８１が形成され、また、サイドプレート１２内には、凹部８１と支持孔３１内とを連通する孔状の連通路８２、および凹部８１と支持孔４１内とを連通する孔状の連通路８３が形成されている。また、サイドプレート１２のギア側側面１２ａおよび反ギア側側面１２ｂには、溝６５が形成されている。
【００２１】
溝６５は、支持孔３１，４１の内周面３１ａ，４１ａの偏心側嵌合領域Ｐ（図３において、支持孔３１，４１の軸心７１，７２を含む仮想の平面７３よりも吸込室５側に位置する、支持孔３１，４１の内周面３１ａ，４１ａの部分である。）に対応する支持孔３１，４１の両端部分と、吸込室５側とを連通している。
両逃げ溝６３，６４は、両ギア３，４の噛み合い中心位置Ｋを避けるようにして設けられ、互いの間に所定の距離が確保されている。これは、両逃げ溝６３，６４同士を連通させると、これら逃げ溝６３，６４を通して、吸込室５と吐出室６とが連通されてしまいポンプ機能を果たせなくなるので、これを防止するためである。なお、両ギア３，４の噛み合い中心位置Ｋ（ピッチ点）を挟んで離間する逃げ溝６３，６４間の離間距離は、各部品の寸法精度や両ギア３，４の噛み合い誤差等を勘案して、できるだけ狭くなるように設定されている。
【００２２】
凹部８１は、サイドプレート１２のギア側側面１２ａにおいて、例えば、円錐状に形成されている。
各連通路８２，８３の一端は、凹部８１内の内奥部に開口している。また、各連通路８２，８３は、支持孔３１，４１の内周面３１ａ，４１ａの偏心側嵌合領域Ｐに開口している。この偏心側嵌合領域Ｐは、高圧時に支軸３０，４０との間が狭くなる傾向にあることから、支持孔３１，４１の偏心側嵌合領域Ｐに対して潤滑用の流体を供給する各連通路８２，８３は、摩耗防止に一層効果がある。
【００２３】
流路８０は、連通路８２と凹部８１とで構成されて閉塞領域と支持孔３１とを連通する部分と、後述する連通路８３と凹部８１とで構成されて閉塞領域と支持孔４１とを連通する部分とを有している。流路８０は、凹部８１から支持孔３１，４１へ作動流体を流すことができる。流路８０の閉塞領域側の開口８１ａは、サイドプレート１２のギア側側面１２ａに形成された凹部８１の入口からなっている。
【００２４】
開口８１ａは、両ギア３，４の閉塞領域であって両逃げ溝６３，６４から隔離された領域にある。開口８１ａの全体と、両ギア３，４の噛み合いの作用線Ｌとは、支軸３０（支軸４０でもよい。）の軸方向からみたときに互いに重なり合うことを回避している。これによって、吸込室５と吐出室６とが互いに連通することを回避している。というのは、開口８１ａが開口する閉塞領域は一対で構成され、この一対の閉塞領域は、両ギア３，４の噛み合い点が噛み合いの作用線Ｌに沿って移動するのに伴って、吸込室５および吐出室６にそれぞれ連通する場合がある。このような状態で、仮に、開口８１ａと作用線Ｌとが重なり合っていると、開口８１ａと一対の閉塞領域とが互いに連通してしまい、その結果、吸込室５と吐出室６とが互いに開口８１ａを通じて連通する場合があるからである。
【００２５】
ここで、開口８１ａを上述のように作用線Ｌを回避して配置するには、凹部８１を駆動ギア３寄りに配置することと、凹部８１を従動ギア４寄りに配置することとが考えられる。本実施の形態では、後述するように吐出室６と流路８０との連通に起因した流量損失の発生を防止するために、開口８１ａは作用線Ｌよりも駆動ギア３寄りに配置されている。
【００２６】
また、開口８１ａは、ギア室１４に臨んで、例えば、円形に形成されている。この円の直径は、開口８１ａの前方を通過するギア歯部分の歯厚よりも小さくされ、隣接する歯溝が、互いに凹部８１を介して連通することを回避している。
次に動作を説明する。
図５は、駆動ギアと従動ギアの噛み合いを説明するための、サイドプレートの要部拡大側面図である。図６は、図５に続く状態での、駆動ギアと従動ギアの噛み合いを説明するための、サイドプレートの要部拡大側面図である。
【００２７】
まず、閉塞領域を図５を参照して説明する。
閉塞領域は、両ギア３，４の歯面同士の接触点である噛み合い点Ｋ２を挟んで一対で区画されている。
そして、両ギア３，４の回転に伴って、噛み合い点Ｋ２も移動し、その軌跡が上述の作用線Ｌとなる。この作用線Ｌは、両ギア３，４の並ぶ方向と交差する方向に延びており、この作用線Ｌを挟んで両側に、上述の一対の閉塞領域は区画されている。
【００２８】
この一対の閉塞領域は、駆動ギア３の歯底によって区画される駆動ギア側の閉塞領域Ｓ３と、従動ギア４の歯底によって区画される従動ギア側の閉塞領域Ｓ４とを含み、これら駆動ギア側および従動ギア側の閉塞領域Ｓ３，Ｓ４は作用線Ｌを挟んだ両側に配置されることになる。一方、その描く軌跡が作用線Ｌとなる噛み合い点Ｋ２は、駆動ギア３のギア歯３ａの進行方向側（すなわち吸込室５側）の歯面３ｂに位置している。このため、従動ギア側の閉塞領域Ｓ４は、吐出室６と連通し、且つ噛み合い点Ｋ２によって吸込室５との連通を確実に阻止される。一方、駆動ギア側の閉塞領域Ｓ３は、吸込室５と連通し、且つ噛み合い点Ｋ２によって吐出室６との連通を確実に阻止される。
【００２９】
次に、閉塞領域の連通状態をより詳細に説明する。
駆動ギア側の閉塞領域Ｓ３は、両ギア３，４の噛み合いに伴って、両ギア３，４のギア歯同士が互いに接近すると、吐出室６内に、駆動ギア３の歯溝と従動ギア４の歯先との間の空間Ｓ６として形成され始める（この状態の空間Ｓ６を図５に図示した。）。この形成され始めた空間Ｓ６は、駆動ギア３の歯面３ｂと従動ギア４の歯面４ｂとが互いに接触するまでは、吐出室６および逃げ溝６４に連通しており、逃げ溝６４を通じて、空間Ｓ６内の作動流体は吐出室６へ戻ることができる。
【００３０】
図６に示すように、駆動ギア３と従動ギア４との噛み合い始めには（噛み合い点Ｋ１）、駆動ギア側の閉塞領域Ｓ３（図６の右側に図示した閉塞領域Ｓ３）は、噛み合い点Ｋ１によって吐出室６と連通を遮断される。そして、駆動ギア側の閉塞領域Ｓ３は、開口８１ａを通じて流路８０と連通する。この状態では、従動ギア側の閉塞領域Ｓ５（図６で、駆動ギア側の閉塞領域Ｓ３の左側にある閉塞領域）は、駆動ギア側の閉塞領域Ｓ３と連通することができる。というのは、駆動ギア３のギア歯３ａの反進行方向側の歯面３ｃと、従動ギア４のギア歯４ａの進行方向側の歯面４ｃとの間には、通常、隙間（バックラッシュ）が生じるためである。従って、従動ギア側の閉塞領域Ｓ５内の作動流体も、開口８１ａを通じて流路８０へ流入できる。
【００３１】
噛み合いが進行すると、図５に示すように、駆動ギア側の閉塞領域Ｓ３は、上述のようにして、噛み合い点Ｋ２によって吐出室６と連通を遮断され、且つ開口８１ａを通じて流路８０と連通する。また、従動ギア側の閉塞領域Ｓ４は、噛み合い点によって吸込室５との連通を遮断されている。
さらに噛み合いが進行すると、再度図６を参照して、両ギア３，４は噛み合い点Ｋ３で噛み合い、駆動ギア側の閉塞領域Ｓ３（図６で左側に図示した閉塞領域Ｓ３）は、吸込室５および逃げ溝６３と連通する。また、駆動ギア側の閉塞領域Ｓ３は、噛み合い点Ｋ３によって吐出室６と連通を遮断されている。
【００３２】
このように、高圧の作動流体を、上述の流路８０を通して、支持孔３１，４１の内周面３１ａ，４１ａの偏心側嵌合領域Ｐに供給できる。また、流路８２，８３は、支持孔３１，４１内で軸方向の略中央位置に開口しており、この部分に供給された作動流体は、軸方向の両側に均一に流れて支持孔３１，４１全体を万遍なく潤滑した後、溝６５を介して吸込室５側へ回収できる。
【００３３】
従って、駆動ギア３と従動ギア４との各噛み合い歯間の閉塞領域に発生する高圧を抑制して、振動や騒音を防止できる。そして、逃げ溝６３，６４と、流路８２，８３との組合せにより、閉じ込みによる高圧発生を確実に防止できる。しかも、閉塞領域に閉じ込められようとする高圧作動流体を支持孔３１，４１へ供給できる結果、支持孔３１，４１内を潤滑して摩耗発生を防止できる。
【００３４】
このように本実施の形態によれば、以下の効果を奏する。すなわち、噛み合いの作用線Ｌと流路８０の閉塞領域側の開口８１ａとが互いに重なり合うことを回避しているので、噛み合い点Ｋ１〜Ｋ３の両側にある一対の閉塞領域が開口８１ａを介して互いに連通することがない。従って、一対の閉塞領域および開口８１ａを通しての吸込室５と吐出室６との両室の連通を防止でき、その結果、両室が連通することに起因した流量損失の発生を防止できる。
【００３５】
また、流路８０の開口８１ａを作用線Ｌよりも駆動ギア３寄りに配置したので、開口８１ａは駆動ギア側の閉塞領域Ｓ３のみに連通する。この駆動ギア側の閉塞領域Ｓ３は上述したように吐出室６との連通が噛み合い点によって確実に阻止されているので、吐出室６から流路８０への圧力抜けが生じることを確実に防止できる。しかも、駆動ギア側の閉塞領域Ｓ３に閉じ込められた作動流体を流路８０を介して支持孔３１，４１の潤滑に利用できる。
【００３６】
これに対して、流路８０の開口８１ａを作用線Ｌよりも従動ギア４寄りに配置する場合（図８参照）には、開口８１ａの位置や大きさによっては、従動ギア側の閉塞領域Ｓ４が開口８１ａを通じて流路８０に連通し、同時に吐出室６と連通する場合が生じる。このような場合、吐出室６と流路８０との連通に起因する圧抜けを生じることが想定される。
【００３７】
本実施の形態の効果を具体的に図７のグラフに示す。すなわち、流路の閉塞領域側開口をピッチ点に配置した従来の場合には、吐出圧力が高くなるのに伴って吐出流量が低下していた（この場合を─■─で結ぶ線ＲＡで示した。）。これに対して本実施の形態では、吐出圧力が高くなっても吐出流量をほぼ一定に維持することができている（この場合を─○─で結ぶ線ＲＢで示した。）。
【００３８】
なお、上述の実施の形態では、流路８０の閉塞領域側開口８１ａは、凹部８１に設けられていたが、これには限定されない。例えば、流路８０が直接にギア室１４内に開口していてもよい。また、連通路８２，８３がそれぞれ別々にギア室１４内に開口していてもよい。
その他、本発明の要旨を変更しない範囲で種々の設計変更を施すことが可能である。
【００３９】
【発明の効果】
請求項１に係る発明によれば、以下の効果を奏する。すなわち、噛み合いの作用線と流路の閉塞領域側の開口とが互いに重なり合うことを回避しているので、噛み合い点の両側にある一対の閉塞領域が開口を介して互いに連通することがない。従って、一対の閉塞領域および開口を通しての吸込室と吐出室との両室の連通を防止でき、その結果、両室が連通することに起因した流量損失の発生を防止できる。
【００４０】
請求項２に係る発明によれば、請求項１にかかる発明の効果に加えて、以下の効果を奏する。すなわち、上記一対の閉塞領域は、作用線を挟んだ両側に配置されるのに対して、流路の開口を作用線よりも駆動ギア寄りに配置したので、当該開口は駆動ギア側の閉塞領域のみに連通する。このように、駆動ギア側の閉塞領域に閉じ込められた作動流体を流路を介して支持孔の潤滑に利用でき、しかも、駆動ギア側の閉塞領域は吐出室との連通が噛み合い点によって確実に阻止されているので、吐出室から流路への圧力抜けが生じることを確実に防止できる。
【図面の簡単な説明】
【図１】本発明の一実施の形態にかかるギアポンプの断面正面図である。
【図２】図１のギアポンプの断面側面図であり、図１のII─II線に沿う断面図であってハッチングを省略してある。
【図３】サイドプレートの側面図である。
【図４】図３のサイドプレートの断面後面図である。
【図５】駆動ギアと従動ギアの噛み合いを説明するための、サイドプレートの要部拡大側面図である。
【図６】図５に続く駆動ギアと従動ギアの噛み合いを説明するための、サイドプレートの要部拡大側面図である。
【図７】本発明のギアポンプの吐出圧力と、吐出流量との関係のグラフである。
【図８】本発明の他の実施形態のギアポンプの、駆動ギアと従動ギアの噛み合いを説明するための、サイドプレートの要部拡大側面図である。
【図９】従来のギアポンプの、駆動ギアと従動ギアの噛み合いを説明するための、サイドプレートの要部拡大側面図である。
【符号の説明】
１  ハウジング
３  駆動ギア
３ａ，４ａ  ギア歯
４  従動ギア
５  吸込室
６  吐出室
１２  サイドプレート
１４  ギア室
３０，４０  支軸
３１，４１  支持孔
８０  流路
８１ａ  開口
Ｌ  噛み合いの作用線
Ｋ１〜Ｋ３  噛み合い点
Ｓ３，Ｓ４  閉塞領域
【図１】
0003673370.tif 000002
【図２】
0003673370.tif 000003
【図３】
0003673370.tif 000004
【図４】
0003673370.tif 000005
【図５】
0003673370.tif 000006
【図６】
0003673370.tif 000007
【図７】
0003673370.tif 000008
【図８】
0003673370.tif 000009
【図９】
0003673370.tif 000010